(57)【特許請求の範囲】
【請求項１】
荷箱の上面開口を覆う天蓋と、該天蓋を荷箱の上面開口に対して開閉する開閉手段とからなる荷箱の天蓋開閉装置において、前記開閉手段は、先端部が前記天蓋の一側縁前後に連結され、基端部が回動自在に支持された前後一対の天蓋支持アームを有し、天蓋の開閉開始時に該天蓋支持アームの作動を補助するスプリングが上方より見て当該天蓋支持アームと平行に、かつ、天蓋支持アームに沿って設けられ、また、前記スプリングは、天蓋支持アームが最も回動して天蓋が荷箱の上面開口を閉塞もしくは開放した際に、張力が最大になるように設定されることを特徴とする荷箱の天蓋開閉装置。
【請求項２】
前記開閉手段は、前記前後一対の天蓋支持アームのうち一方の天蓋支持アームに設けられ該天蓋支持アームを回動させる駆動手段を備え、前記スプリングが他方の天蓋支持アームに沿って設けられたことを特徴とする請求項１記載の荷箱の天蓋開閉装置。
【発明の詳細な説明】
【０００１】
【発明の属する技術分野】
本発明は、荷箱に積載された積載物の飛散等を防止するための天蓋を開閉する荷箱の天蓋開閉装置に関するものである。
【０００２】
【従来の技術】
従来、荷箱の天蓋開閉装置としては、荷箱の上面開口を覆う天蓋が開閉手段によりこの荷箱の上面開口に対して開閉自在に設けられたものが多数提供されている。
【０００３】
【発明が解決しようとする課題】
しかしながら、上記従来のものでは、荷箱の全長が長くなれば、それに合わせて天蓋の全長も長くなり天蓋自体の重量が増加する。その結果、天蓋を開閉する開閉手段の一部を構成する駆動装置に大きなトルクが必要になり、装置の大型化を招く一方、トルク不足の場合には天蓋の開閉がスムーズに行われないという問題があった。
【０００４】
また、天蓋開閉装置の具体的な一例として、荷箱の前後に天蓋支持アームをその基端部を中心に回動自在に設け、該天蓋支持アームの先端部に天蓋の一側縁前後を連結し、前後どちらか一方の天蓋支持アームを駆動装置により回動させて天蓋を開閉させるようにしたものがある。
【０００５】
しかし、どちらか一方の天蓋支持アームのみを駆動装置により回動させて天蓋を開閉させるものでは、天蓋が開閉を開始する際に当該天蓋の前後で捩れが生じ、これにより駆動装置に連結されていない従動する天蓋支持アームの回動が遅れ、天蓋の開閉がスムーズに行われないという問題があった。これは天蓋の全長が長くなればなる程捩れが大きく生じ天蓋の開閉に支障を来すことになる。
【０００６】
本発明は、上記問題点に鑑みなされたもので、その目的とするところは、全長の長い天蓋でも捩れの発生を極力抑えて、その開閉をスムーズに行うことができ、しかも駆動手段のトルク不足を解消して駆動手段の小型化を図ることのできる荷箱の天蓋開閉装置を提供することにある。
【０００７】
【課題を解決するための手段】
請求項１に係る発明の荷箱の天蓋開閉装置は、荷箱の上面開口を覆う天蓋と、該天蓋を荷箱の上面開口に対して開閉する開閉手段とからなる荷箱の天蓋開閉装置において、前記開閉手段は、先端部が前記天蓋の一側縁前後に連結され、基端部が回動自在に支持された前後一対の天蓋支持アームを有し、天蓋の開閉開始時に該天蓋支持アームの作動を補助するスプリングが上方より見て当該天蓋支持アームと平行に、かつ、天蓋支持アームに沿って設けられ、また、前記スプリングは、天蓋支持アームが最も回動して天蓋が荷箱の上面開口を閉塞もしくは開放した際に、張力が最大になるように設定されるものである。
【０００８】
請求項２に係る発明の荷箱の天蓋開閉装置は、前記開閉手段は、前記前後一対の天蓋支持アームのうち一方の天蓋支持アームに設けられ該天蓋支持アームを回動させる駆動手段を備え、前記スプリングが他方の天蓋支持アームに沿って設けられたものである。
【０００９】
【発明の実施の形態】
以下、本発明の実施の形態を図面を参照して説明する。
【００１０】
図１乃至図３は、本発明に係る荷箱の天蓋開閉装置を示している。
【００１１】
図において、１は荷箱であって、この荷箱１は本実施の形態では車輌に積卸し自在になされたコンテナである。
【００１２】
荷箱１は、上面が開口された箱体であり、その前面に車輌に搭載された積卸アーム（図示省略）に係脱可能な係止部材１１（図１及び図３参照）が設けられ、この係止部材１１に積卸アームを係止することで、当該積卸アームの作動によって荷箱１を地上と車輌との間で積卸すことができる。また、荷箱１の後面１２は開閉自在になされるとともに、底部には図３に示すように前方に左右一対の支持脚１３が、後方に左右一対の支持ローラ１４が設けられている。
【００１３】
この荷箱１の上面開口に、左右一対の天蓋２、２が開閉手段としての開閉装置３、３によりそれぞれ開閉自在に配設されている。これら開閉装置３、３は各天蓋２、２に対応して同じ構成のものが左右対象に設けられており、以下、一方の開閉装置３について説明し、他方の開閉装置３については同部材に同符号を付して説明は省略する。
【００１４】
開閉装置３は、前記天蓋２の前後に当該天蓋２と平行に配設された前後一対の天蓋支持アーム３１、３２と、駆動モータ３３とを備えている。
【００１５】
天蓋支持アーム３１、３２は、天蓋２の前後において当該天蓋２の内端縁２ａから外端縁寄りにかけて配置されており、外端縁寄りに配置された基端部３１ａ、３２ａが荷箱１側に回動自在に支持されるとともに、先端部３１ｂ、３２ｂが天蓋２の内端縁２ａから前後に突設された支持軸２１、２２に枢支されている。
【００１６】
駆動モータ３３は、図１において左側となる荷箱１の前方に配設された一方の天蓋支持アーム３１の基端部３１ａにその出力軸３３ａが一体に連結されており、駆動モータ３３の正逆方向への回転駆動により天蓋支持アーム３１をその基端部３１ａを中心にして左右に回動させることで、天蓋２の開閉が行われる。つまり、一方の天蓋支持アーム３１が駆動側となり、他方の天蓋支持アーム３２が従動側となってそれぞれ同じ方向に回動し、この回動により天蓋２の開閉を行う。
【００１７】
ここで、この開閉装置３には、前記従動側となる他方の天蓋支持アーム３２に補助手段としてのスプリング３５が設けられている。スプリング３５は天蓋支持アーム３２の外方に当該天蓋支持アーム３２と平行に張設されている。
【００１８】
具体的には、スプリング３５の一端が天蓋支持アーム３２の先端部から突出された前記支持軸２２に止着されるとともに、スプリング３５の他端が天蓋支持アーム３２の基端部３２ａ寄りに設けられた止着部材３６に止着されている。止着部材３６には、例えばボルトなどのねじ込み量を変えることによってスプリング３５の張力が調整可能な調整手段（図示省略）が介装されている。
【００１９】
このスプリング３５は、天蓋支持アーム３２が左側もしくは右側に最も回動して天蓋２が荷箱１の上面開口を閉塞もしくは開放した際に、その張力が最大になるように設定されている。
【００２０】
次に、このように構成された荷箱の天蓋開閉装置の動作について説明する。
【００２１】
まず、図２に示すように、天蓋２、２が荷箱１の上面開口を閉塞する閉塞位置に配置されている状態において、駆動モータ３３を回転駆動させ天蓋支持アーム３１を外方に向けて回動させると、この天蓋支持アーム３１に天蓋２の内端縁２ａを通じて連結された天蓋支持アーム３２が連動して外方に回動し、これら天蓋支持アーム３１、３２の回動によって、天蓋２が図２に二点鎖線で示すような軌跡を描きながら荷箱１の側壁に沿って垂下される開放位置に配置される。
【００２２】
そして、この開放位置から駆動モータ３３により天蓋支持アーム３１を逆方向に回動させることで、上述と逆の動作で閉塞位置に配置される。
【００２３】
ここで、上述した天蓋２の開閉が開始される際において、従動側となる天蓋支持アーム３２はスプリング３５の張力によってその回動動作を補助されながら回動を開始することになり、これによって天蓋２がスームズに開閉作動することになる。
【００２４】
つまり、天蓋２の全長が長い場合に、スプリング３５による回動の補助がないと天蓋２の前後で捩れが生じて天蓋２の開閉に支障を来すことになるが、スプリング３５によって天蓋支持アーム３２の回動を補助して天蓋支持アーム３１の回動に追従させることで、天蓋２の捩れの発生を極力抑えることができ、これにより天蓋２をスムーズに開閉させることができる。
【００２５】
また、スプリング３５により回動開始動作を補助することで、駆動モータ３３のトルク不足も解消され、駆動モータ３３の小型化を図ることも可能になる。
【００２６】
【発明の効果】
以上述べたように、本発明の荷箱の天蓋開閉装置によれば、天蓋の開閉開始時にスプリングにより天蓋を開閉させる開閉手段を補助することで、天蓋の前後での捩れを極力抑えて開閉開始がスムーズに行われ、これにより天蓋の開閉をスムーズに行うことができる。また、スプリングにより天蓋の開閉開始動作を補助することで、駆動手段のトルク不足も解消され、この駆動手段の小型化を図ることも可能になる。
【図面の簡単な説明】
【図１】本発明の荷箱の天蓋開閉装置を示す平面図である。
【図２】本発明の荷箱の天蓋開閉装置を示す背面図である。
【図３】本発明の荷箱の天蓋開閉装置を示す側面図である。
【符号の説明】
１  荷箱
２  天蓋
３  開閉装置（開閉手段）
３１  一方の天蓋支持アーム
３２  他方の天蓋支持アーム
３３  駆動モータ（駆動手段）
３５  スプリング（補助手段）
【図１】
0004346802.tif 000002
【図２】
0004346802.tif 000003
【図３】
0004346802.tif 000004